(57)【要約】  人の姿勢及び視覚行動を判定する方法であって、−  人の複数の像が受信される人像受信ステップ、−  人が複数の像の各像にいる状況を表す状況データを判定するように、人の複数の像が解析される状況判定ステップ、−  人の少なくとも１つの眼球運動パラメータを判定するように、人の複数の像が解析される解析ステップ、−  少なくとも１つの眼球運動パラメータ及び状況データに少なくとも基づいて、人の姿勢及び視覚行動が判定される姿勢及び視覚行動判定ステップを含む方法。
2020527079.tif 000002
【特許請求の範囲】
【請求項１】
人の視覚及び姿勢行動を判定する方法であって、
−  前記人の複数の像が受信される人像受信ステップＳ１と、
−  前記人が前記複数の像の各像にいる状況を表す状況データを判定するように、前記人の前記複数の像が解析される状況判定ステップＳ２と、
−  前記人の少なくとも１つの眼球運動パラメータを判定するように、前記人の前記複数の像が解析される解析ステップＳ３と、
−  前記少なくとも１つの眼球運動パラメータ及び前記状況データに少なくとも基づいて、前記人の前記視覚及び姿勢行動が判定される姿勢及び視覚行動判定ステップＳ４と、を含む方法。
【請求項２】
−  基準姿勢及び視覚行動データが受信される基準姿勢及び視覚行動データ受信ステップＳ５であって、前記基準姿勢及び視覚行動データは、基準人に適合されている特定の処方箋のレンズを着用する前記基準人の適切な姿勢及び視覚行動に対応する、基準姿勢及び視覚行動データ受信ステップＳ５と、
−  レンズ利用異常を判定するように、基準姿勢及び視覚行動データと前記人の前記姿勢及び視覚行動とが比較される比較ステップＳ６であって、前記レンズ利用異常は、前記レンズの不適切な利用及び／又は前記人に適合されていないレンズの利用を意味する、比較ステップＳ６と、
を更に含む、請求項１に記載の方法。
【請求項３】
−  前記人の処方箋データが受信される処方箋データ受信ステップＳ７と、
−  前記人の前記処方箋データ並びに前記姿勢及び視覚行動に少なくとも基づいて、着用者に適合されている光学機能が判定される光学機能判定ステップＳ８と、
を更に含む、請求項１に記載の方法。
【請求項４】
前記光学機能は、少なくとも１つの状況で前記人に適合されている、請求項１〜３のいずれか一項に記載の方法。
【請求項５】
前記人に適合されている屈折機能は、前記光学機能判定ステップ中に判定される、請求項３又は４に記載の方法。
【請求項６】
前記人に適合されているエレクトロクロミック機能は、前記光学機能判定ステップ中に判定される、請求項３又は４に記載の方法。
【請求項７】
前記人像受信ステップ中に受信される前記人の前記複数の像は、少なくとも１つの遠隔像データベースから受信される、請求項１〜６のいずれか一項に記載の方法。
【請求項８】
前記人像受信ステップ中に受信される前記人の前記複数の像は、前記人の顔の少なくとも一部、例えば少なくとも前記人の眼を含む、請求項１〜７のいずれか一項に記載の方法。
【請求項９】
前記人像受信ステップ中に受信される前記人の前記複数の像は、前記人の静止像及び／又は映像を含む、請求項１〜８のいずれか一項に記載の方法。
【請求項１０】
前記少なくとも１つの眼球運動パラメータは、少なくとも前記人の注視方向と関連する、請求項１〜９のいずれか一項に記載の方法。
【請求項１１】
前記少なくとも１つの眼球運動パラメータは、少なくとも前記人の注視距離と関連する、請求項１〜１０のいずれか一項に記載の方法。
【請求項１２】
前記少なくとも１つの眼球運動パラメータは、少なくとも前記人の頭部の位置及び向きと関連する、請求項１〜１１のいずれか一項に記載の方法。
【請求項１３】
前記状況データは、前記像の前記人によって実行される活動と関連する、請求項１〜１２のいずれか一項に記載の方法。
【請求項１４】
前記状況データは、前記像の前記人の視覚的環境と関連する、請求項１〜１３のいずれか一項に記載の方法。
【請求項１５】
−  前記状況判定ステップ前に、前記少なくとも１つの状況を表す状況データが受信される状況データ受信ステップＳ２０と、
−  前記状況判定ステップ後に、前記少なくとも１つの状況における前記少なくとも１人の人の複数の像が選択される像選択ステップＳ２１と
を更に含み、前記少なくとも１人の人の前記選択された複数の像は、前記解析ステップ中に解析される、請求項１〜１４のいずれか一項に記載の方法。
【請求項１６】
−  前記状況判定ステップ及び前記解析ステップ前に、眼科用単焦点レンズを着用しているか又は眼科用レンズを着用していない前記人の前記像が選択される像選択ステップＳ１１
を更に含み、前記状況判定ステップ及び前記解析ステップは、前記選択された像において実行される、請求項１〜１５のいずれか一項に記載の方法。
【請求項１７】
請求項３〜１６のいずれか一項に記載の方法によって判定される光学機能を有する、人に適合されている光学レンズ。
【請求項１８】
プロセッサにアクセス可能な命令の１つ又は複数の記憶された列を含むコンピュータプログラム製品であって、前記プロセッサによって実行される場合、請求項１〜１６のいずれか一項に記載の方法のステップを前記プロセッサに実行させるコンピュータプログラム製品。
【請求項１９】
請求項１８に記載のコンピュータプログラム製品の命令の１つ又は複数の列を保持するコンピュータ可読媒体。
【発明の詳細な説明】
【技術分野】
【０００１】
本発明は、人の姿勢及び視覚行動を判定する方法、本発明の方法によって得られる、人に適合されている光学レンズ、本発明の方法によって得られる光学機能に基づいて光学機能が適合されるプログラマブル光学レンズ並びに本発明の方法に対応する命令の１つ又は複数の記憶された列を含むコンピュータプログラム製品に関する。
【背景技術】
【０００２】
通常、アイウェア機器を有することを望む人は、アイケア専門家のところに行く。
【０００３】
アイケア専門家は、注文依頼書を光学実験室に送信することにより、光学実験室でアイウェア機器を注文する。この注文依頼書は、人データ、例えば人の処方箋、眼鏡フレームデータ（例えば、人が選択している眼鏡フレームのタイプ）及びレンズデータ（例えば、人が選択している光学レンズのタイプ）を含む。
【０００４】
光学実験室は、注文依頼書を受信し、この注文依頼書を光学レンズ設計者ソフトウェアに送信する。この光学レンズ設計者ソフトウェアは、注文依頼書に含まれるデータの一部を使用して、人に供給されるべき光学レンズの設計を計算する。光学レンズ設計者ソフトウェアによって判定された光学設計を光学実験室に送信し、計算された設計に基づいて光学レンズを製造する。
【０００５】
製造された光学レンズを処理して、注文依頼書に応じた光学処理を追加することができる。
【０００６】
その後、光学レンズをアイケア専門家に送る。光学レンズをアイケア専門家に送り、眼鏡フレームに装着する前に光学レンズを眼鏡フレームに適合するように縁取りし得る。
【０００７】
現在の光学レンズ配送方法には、幾つかの欠点がある。
【０００８】
近年、新しい光学設計が考案されている。これらの新しい光学設計は、人に応じて一層カスタマイズされる。このようなカスタマイズ光学設計を計算するために、レンズ設計者は、人に関するデータを一層必要とする。文言「光学設計」は、眼科用レンズの屈折機能を定義することができるパラメータのセットを示す。一般的に、人に関するデータを非常に標準的な環境で測定又は評価する。典型的に、アイケア専門家は、平均的な状態に対応する標準検査のセットを行う。例えば、遠方視力処方を判定する場合、アイケア専門家は、約５ｍの距離で文字を認識する検査下の人を有する。
【０００９】
近方視力処方を判定する場合、アイケア専門家は、約４０ｃｍで文章を読む着用者を有し得る。
【００１０】
通常、視力検査の大部分は、カスタマイズされない。
【００１１】
光学機能をカスタマイズする例は、欧州特許出願公開第１８３４２０６号明細書に開示のように、与えられるべき光学機能を適合させるように点滅光を見る場合、人の相対的な頭部及び眼の動きを考慮している。
【００１２】
人の頭部及び眼の相対的な動きの測定は、通常、標準的な環境（例えば、アイケア専門実験室）で行われる。
【００１３】
例示のように、着用者パラメータの大部分の判定は、非常に標準的な環境で行われる。
【００１４】
光学設計の最近の進歩は、パラメータを判定する状態のカスタマイズが光学機能の影響を与えるところまで光学機能のより多くのカスタマイズを可能にする。
【００１５】
従って、カスタマイズパラメータ（例えば、人の姿勢及び視覚行動）を判定する方法であって、実施することが容易且つ迅速な方法の必要性がある。
【発明の概要】
【発明が解決しようとする課題】
【００１６】
本発明の目的は、このような方法を提供することである。
【課題を解決するための手段】
【００１７】
この目的のため、本発明は、人の姿勢及び視覚行動を判定する方法であって、
−  人の複数の像が受信される人像受信ステップと、
−  人が複数の像の各像にいる状況を表す状況データを判定するように、人の複数の像が解析される状況判定ステップと、
−  人の少なくとも１つの眼球運動パラメータを判定するように、人の複数の像が解析される解析ステップと、
−  少なくとも１つの眼球運動パラメータ及び状況データに少なくとも基づいて、人の姿勢及び視覚行動が判定される姿勢及び視覚行動判定ステップと
を含む方法を提案する。
【００１８】
有利には、本発明の方法は、状況に関して判定される人の眼球運動パラメータに基づいて姿勢及び視覚行動を判定することを可能にする。典型的に、異なる視覚的環境において又は異なる活動若しくは特定の活動を人に実行させながら眼球運動パラメータを判定する。
【００１９】
典型的に、人の像は、人自身によって与えられ、大体の場合に人がいる状況又は人が特定の光学機能を有することを望む状況を表す像であり得る。
【００２０】
例えば、人が外でチェスをすることを望む場合、本発明の方法で受信される像は、外でチェスをするこの人の像であり得る。眼球運動パラメータを、与えられた像に基づいて判定し得、人の姿勢及び視覚行動を判定するために眼球運動パラメータを使用し得る。有利には、姿勢及び視覚行動の正確な判定を可能にする「日常生活」で眼球運動パラメータを判定する。更に、本発明の方法は、人の生活において異なる時間に対応する像を受信する場合、時間と共に眼球運動パラメータの展開を比較することができる。
【００２１】
その上、本発明の方法は、姿勢及び視覚行動に基づいて、レンズ利用異常（例えば、光学レンズの不適切な利用及び／又は人に適合されていない光学レンズの利用）を判定することができる。
【００２２】
更に、本発明の方法は、姿勢及び視覚行動に基づいて、着用者に適合されている光学機能を判定することができる。
【００２３】
単独又は組み合わせで考慮可能な更なる実施形態によれば、
−  方法は、
−  基準姿勢及び視覚行動データが受信される基準姿勢及び視覚行動データ受信ステップであって、基準姿勢及び視覚行動データは、基準人に適合されている特定の処方箋のレンズを着用する基準人の適切な姿勢及び視覚行動に対応する、基準姿勢及び視覚行動データ受信ステップと、
−  レンズ利用異常を判定するように、基準姿勢及び視覚行動データと人の姿勢及び視覚行動とが比較される比較ステップであって、レンズ利用異常は、レンズの不適切な利用及び／又は人に適合されていないレンズの利用を意味する、比較ステップと
を更に含み、及び／又は
−  方法は、
−  人の処方箋データが受信される処方箋データ受信ステップと、
−  人の処方箋データ並びに姿勢及び視覚行動に少なくとも基づいて、着用者に適合されている光学機能が判定される光学機能判定ステップと
を更に含み、及び／又は
−  光学機能は、少なくとも１つの状況で人に適合されており、及び／又は
−  人に適合されている屈折機能は、光学機能判定ステップ中に判定され、及び／又は
−  人に適合されているエレクトロクロミック機能は、光学機能判定ステップ中に判定され、及び／又は
−  人像受信ステップ中に受信される人の複数の像は、少なくとも１つの遠隔像データベースから受信され、及び／又は
−  人像受信ステップ中に受信される人の複数の像は、人の顔の少なくとも一部、例えば少なくとも人の眼）を含み、及び／又は
−  人像受信ステップ中に受信される人の複数の像は、人の静止像及び／又は映像を含み、及び／又は
−  少なくとも１つの眼球運動パラメータは、少なくとも人の注視方向と関連し、及び／又は
−  少なくとも１つの眼球運動パラメータは、少なくとも人の注視距離と関連し、及び／又は
−  少なくとも１つの眼球運動パラメータは、少なくとも人の頭部の位置及び向きと関連し、及び／又は
−  状況データは、像における人によって実行される活動と関連し、及び／又は
−  状況データは、像における人の視覚的環境と関連し、及び／又は
−  方法は、
−  状況判定ステップ前に、少なくとも１つの状況を表す状況データが受信される状況データ受信ステップと、
−  状況判定ステップ後に、少なくとも１つの状況における少なくとも１人の人の複数の像が選択される像選択ステップと
を更に含み、
−  少なくとも１人の人の選択された複数の像は、解析ステップ中に解析され、且つ／又は
−  方法は、状況判定ステップ及び解析ステップ前に、眼科用単焦点レンズを着用しているか又は眼科用レンズを着用していない人の像が選択される像選択ステップを更に含み、状況判定ステップ及び解析ステップは、選択された像において実行され、且つ／又は
−  方法は、光学機能判定ステップ中に判定される光学機能が、プログラマブルレンズの光学機能を制御するために配置されたプログラマブルレンズデバイス制御器に送信される光学機能送信ステップを更に含み、且つ／又は
−  方法は、光学機能判定ステップ中に判定される光学機能を有する光学レンズが製造される製造ステップを更に含む。
【００２４】
本発明は、人のための眼科用レンズを製造する方法であって、
−  本発明による方法を用いて、眼科用レンズの光学機能が判定される光学機能判定ステップと、
−  光学レンズが製造される製造ステップと
を含む方法にも関する。
【００２５】
本発明は、本発明の方法によって得られる、人に適合されている光学レンズに更に関する。
【００２６】
本発明は、プロセッサにアクセス可能な命令の１つ又は複数の記憶された列を含むコンピュータプログラム製品であって、プロセッサによって実行される場合、本発明による方法のステップをプロセッサに少なくとも実行させるコンピュータプログラム製品に更に関する。
【００２７】
本発明は、コンピュータ可読記憶媒体に記録されているプログラムを有するコンピュータ可読記憶媒体であって、このプログラムは、本発明による方法のステップをコンピュータに少なくとも実行させる、コンピュータ可読記憶媒体にも関する。
【００２８】
本発明は、命令の１つ又は複数の列を記憶し、且つ本発明による方法のステップを少なくとも実行するように適合されているプロセッサを含むデバイスに更に関する。
【００２９】
ここで、本発明の実施形態について、下記の図面を参照してごく一例として説明する。
【図面の簡単な説明】
【００３０】
【図１】本発明による方法を表すフローチャートである。
【発明を実施するための形態】
【００３１】
図１に例示のように、本発明による人の姿勢及び視覚行動を判定する方法は、
−  人像受信ステップＳ１、
−  状況判定ステップＳ２、
−  解析ステップＳ３、
−  姿勢及び視覚行動判定ステップＳ４
を含む。
【００３２】
人像受信ステップＳ１中に人の複数の像が受信される。
【００３３】
人像受信ステップ中に受信される像は、遠隔像データベースから受信され得る。
【００３４】
例えば、この方法は、遠隔像データベース（例えば、ソーシャルネットワークデータベース）に接続して人の像を受信するステップを含み得る。
【００３５】
典型的に、人は、少なくとも１つのソーシャルネットワーク又は個人データベースで入手できるその人の像及び／又は映像にアクセスできる。
【００３６】
人は、記憶媒体（例えば、ハードドライブ、ＵＳＢキー、ＤＶＤ、ブルーレイ又は任意の既知の記憶手段）を介して像を供給し得る。
【００３７】
像受信ステップ中に受信される像は、絵などの静止像及び／又は映像を含み得る。像は、二次元像又は奥行き情報を更に含む三次元像であり得る。
【００３８】
方法の精度を向上させるために、好ましくは、人の顔の少なくとも一部は、像供給ステップ中に供給される像で見ることができる。例えば、少なくとも人の眼は、この像で見ることができる。
【００３９】
本発明の方法は、人に関する人データが供給される人データ供給ステップＳ１０を更に含み得る。人データは、例えば、人が選択している眼鏡フレームのタイプ、形状、寸法並びに／又は人の瞳孔間距離及び／若しくは着用状態パラメータに関する情報若しくは人の姿勢及び視覚行動を判定するのに有用である、人に関する任意の情報を含み得る。
【００４０】
図１に例示のように、本発明の方法は、像選択ステップＳ１１を更に含み得る。像選択ステップＳ１１中に供給像の少なくとも一部が選択される。
【００４１】
例えば、人の顔の少なくとも一部、例えば人の眼を含む像が選択される。
【００４２】
眼科用単焦点レンズを着用しているか又は眼科用レンズを着用していない人の像が像選択ステップ中に選択され得る。
【００４３】
像選択ステップは、像が供給された情報に基づき得る。例えば、各像は、像を撮影した日付の表示を含み得る。人が眼科用累進多焦点レンズを着用し始めた日付を知ると、像選択ステップは、その日付に基づいて像を選択し、人が眼科用累進多焦点レンズを着用し始めた日付前の像のみを保持するステップを含み得る。
【００４４】
像選択ステップは、絵における人を識別する像解析ステップを含み得る。
【００４５】
例えば、人の顔の少なくとも一部が像にあることを確認するために、像を解析して、像の顔を検出する。例えば、米国特許第６６９７５０２号明細書に開示の顔検出方法を使用し得る。
【００４６】
人のうちの１人で顔が検出されたことを確認するために、顔認識方法、例えばＷ．Ｙ．Ｚｈａｏ，Ｒ．Ｃｈｅｌｌａｐｐａ，Ｉｍａｇｅ−ｂａｓｅｄ  Ｆａｃｅ  Ｒｅｃｏｇｎｉｔｉｏｎ：Ｉｓｓｕｅｓ  ａｎｄ  Ｍｅｔｈｏｄｓ，Ｉｍａｇｅ  Ｒｅｃｏｇｎｉｔｉｏｎ  ａｎｄ  Ｃｌａｓｓｉｆｉｃａｔｉｏｎ，Ｅｄ．Ｂ．Ｊａｖｉｄｉ，Ｍ．Ｄｃｋｋｅｒ，２００２，ｐｐ．３７５−４０２に開示の方法を使用し得る。
【００４７】
方法は、選択された像に対する雑音低減を含み得る。
【００４８】
状況判定ステップＳ２中、人が複数の像の各像にいる状況を表す状況データを判定するように、人の複数の像が解析される。
【００４９】
状況判定ステップは、特に顔認識が像選択ステップの一部でない場合、顔認識を含み得る。
【００５０】
状況データは、像における人によって実行される活動と関連し得る。
【００５１】
例えば、状況データは、人によって実行される活動を直接識別し得るか、又はこのような活動を判定することができるデータ、例えばデータベース及び／又はルックアップテーブルから人の活動を判定することができる表示であり得る。
【００５２】
人活動データは、人自身により、例えば活動のリストで活動を選択することにより直接供給され得る。
【００５３】
更に、人活動データは、像の解析に基づいて判定され得る。
【００５４】
識別される活動は、例えば、運転、スポーツ、ゴルフの実施、テニスの実施、アーチェリーの実施、読書、歩行、パラグライディングなどであり得るが、これらに限定されない。
【００５５】
ＨＡＲ（人間活動認識）における大部分の研究者は、監視分類アルゴリズムを使用する。このアルゴリズムをラベル付きサンプルで訓練して、分類モデルを生成する。次に、このモデルを使用して入力データを分類する。調査から、最も人気のあるアルゴリズムは、決定木、ｋ最近傍、ナイーブベイズ、サポートベクターマシン及びニューラルネットワークである。
【００５６】
人間活動認識方法の例は、ＳＵＬＯＮＧ，ＧＨＡＺＡＬＩ，ａｎｄ  ＡＭＭＡＲ  ＭＯＨＡＭＭＥＤＡＬＩ，“ＲＥＣＯＧＮＩＴＩＯＮ  ＯＦ  ＨＵＭＡＮ  ＡＣＴＩＶＩＴＩＥＳ  ＦＲＯＭ  ＳＴＩＬＬ  ＩＭＡＧＥ  ＵＳＩＮＧ  ＮＯＶＥＬ  ＣＬＡＳＳＩＦＩＥＲ．”Ｊｏｕｒｎａｌ  ｏｆ  Ｔｈｅｏｒｅｔｉｃａｌ＆Ａｐｐｌｉｅｄ  Ｉｎｆｏｒｍａｔｉｏｎ  Ｔｅｃｈｎｏｌｏｇｙ  ７１．１（２０１５）に記載されている。
【００５７】
状況データは、像における人の視覚的環境と関連し得る。
【００５８】
例えば、状況データは、人の視覚行動に影響を与える像における人の環境の任意のパラメータと関連し得る。
【００５９】
例えば、状況データは、像における人によって受信された光のスペクトル特性及び強度と関連し得る。
【００６０】
更に、状況データは、人の環境の温度及び／若しくは湿度、人の環境に含まれるアレルゲン及び／若しくは汚染物質の量及び／若しくはタイプ、並びに／又は人の位置特定の表示、例えば屋内又は屋外及び／若しくは人の活動を実行する場所、起伏及び／若しくは水への近傍などと関連し得る。
【００６１】
解析ステップＳ３中、人の少なくとも１つの眼球運動パラメータを判定するように、複数の像が解析される。
【００６２】
人の眼球運動パラメータは、眼球運動、例えば注視低下、及び／又はサッカード、例えば頭部と眼との調整、及び／又は輻輳、及び／又は瞼の開き、及び／又は瞳孔径、及び／又はまばたき頻度、及び／又はまばたきの持続時間、及び／又はまばたきの強さ、及び／又は人の頭部の位置及び／又は向き、例えば読書距離を含み得る。
【００６３】
解析ステップ中に収集されたデータを後処理して、人の優位眼などの更なる情報を判定するか、又は人の活動のタイプ及び／若しくは人の環境に応じて人によって最も使用されている光学レンズの領域を識別することができる。
【００６４】
例えば、各像に対して、人によって観察される点までの距離を評価してから、その近接を判定する。活動がこの場合に遠視力である場合、近接は、０と等しくなるように設定される。
【００６５】
状況が既知である二次元像で２つの物体間の距離を計算するために奥行きを考慮する。
【００６６】
典型的に、二次元像で２つの要素（例えば、眼及び物体）間の距離を判定するために、２つの要素の輪郭を検出する輪郭探索を実行してから、２つの要素の形状の重心間のユークリッド測定を行う。
【００６７】
像の奥行きを考慮する距離を計算するために、三次元情報を取得してユークリッド距離を変換する方法を使用し得る。このような方法は、Ｄ．Ｇｏｎｚａｌｅｓ−Ａｇｕｉｌｅｒａ，Ｔｈｅ  Ｐｈｏｔｏｇｒａｍｍｅｔｒｉｃ  Ｒｅｃｏｒｄ  ２３（１２２）：２０８−２２７（Ｊｕｎｅ  ２００８）による「Ｆｒｏｍ  ２Ｄ  ＴＯ  ３Ｄ  Ｔｈｒｏｕｇｈ  Ｍｏｄｅｌｌｉｎｇ  Ｂａｓｅｄ  Ｏｎ  Ａ  Ｓｉｎｇｌｅ  Ｉｍａｇｅ」に開示されている。
【００６８】
距離を判定する方法は、像に存在する要素のサイズを知る必要がある場合がある。例えば、人の両眼が像に存在し、人の瞳孔間距離が既知である場合、この要素を基準要素として使用し得る。
【００６９】
像に存在する既知のサイズの任意の要素（例えば、クレジットカード、眼鏡フレーム、スマートフォン）を、距離を計算する基準要素として使用し得る。
【００７０】
従って、本発明の方法は、供給像で既知の寸法の要素を識別するステップを更に含み得る。
【００７１】
注視距離に加えて、人の頭部角度及び注視方向を像で評価し得る。
【００７２】
例えば、米国特許出願公開第２００７０２６８２９５号明細書に開示の方法を用いて人の姿勢を判定し得、その判定から頭部角度を推測し得る。
【００７３】
静止像からの注視方向推定：Ｋｒｙｓｔｉａｎ  Ｒａｄｌａｋ；Ｍｉｃｈａｌ  Ｋａｗｕｌｏｋ；Ｂｏｇｄａｎ  Ｓｍｏｌｋａ；Ｎａｔａｌｉａ  Ｒａｄｌａｋ；Ｍｕｌｔｉｍｅｄｉａ  Ｓｉｇｎａｌ  Ｐｒｏｃｅｓｓｉｎｇ（ＭＭＳＰ），２０１４  ＩＥＥＥ  １６ｔｈ  Ｉｎｔｅｒｎａｔｉｏｎａｌ  Ｗｏｒｋｓｈｏｐに開示の方法を用いて注視方向を判定し得る。
【００７４】
姿勢及び視覚行動判定ステップＳ４中、少なくとも１つの眼球運動パラメータ及び状況データに少なくとも基づいて、人の姿勢及び視覚行動が判定される。
【００７５】
図１に例示のように、本発明の方法は、基準姿勢及び視覚行動データが受信される基準姿勢及び視覚行動データ受信ステップＳ５を更に含み得る。基準姿勢及び視覚行動は、基準人に適合されている特定の処方箋の光学レンズを着用する人の適切な姿勢及び視覚行動に対応する。
【００７６】
基準姿勢及び視覚行動は、特定の活動を行い、この特定の活動に適合されている特定の処方箋の光学レンズを着用する人の適切な姿勢及び視覚行動に対応し得る。
【００７７】
比較ステップＳ６中、光学レンズ利用異常を判定するように、基準姿勢及び視覚行動データと人の姿勢及び視覚行動とが比較される。
【００７８】
レンズ利用異常は、光学レンズの不適切な利用及び／又は人に適合されていない光学レンズの利用を意味する。
【００７９】
図１に例示のように、本発明の方法は、処方箋データ受信ステップＳ７を更に含み得る。
【００８０】
処方箋データ受信ステップ中、人の処方箋に関する処方箋データが受信される。
【００８１】
人の処方箋は、例えば、人の眼の前に位置するレンズにより、人の視力障害を矯正するために、眼科医によって判定された屈折力、乱視及び必要に応じて追加の光学特性のセットである。例えば、追加の累進多焦点レンズのための処方箋は、屈折力及び遠視力点における乱視（係数及び軸）の値並びに必要に応じて追加の値を含む。
【００８２】
例えば、人の処方箋は、正視者の処方箋であり得る。
【００８３】
光学機能判定ステップＳ８中、人の処方箋データ及び姿勢及び視覚行動に少なくとも基づいて、人に適合されている光学機能が判定される。
【００８４】
光学機能判定は、光学機能の所定のリスト中で最適な光学機能を選択するステップを含み得る。
【００８５】
次に、選択された光学機能は、処方箋データ、少なくとも１つの眼球運動パラメータ及び状況データに基づいてカスタマイズされ得る。
【００８６】
本発明の実施形態によれば、人の処方箋データ並びに姿勢及び視覚行動に基づく最適化アルゴリズムを用いて、光学機能が判定され得る。
【００８７】
本発明の意味では、光学機能は、光学レンズを通過する光線上の光学レンズの効果を各注視方向に与える機能に対応する。
【００８８】
光学機能は、屈折機能、エレクトロクロミック機能、光吸収、偏光機能、コントラスト能力の向上などを含み得る。
【００８９】
屈折機能は、注視方向に応じたレンズ屈折力（平均屈折力、乱視など）に対応する。本発明による方法を用いて、屈折機能が最適化され得る。
【００９０】
例えば、人に与えられるべき眼科用レンズが累進多焦点レンズである場合、近方視力及び遠方視力ゾーンの相対位置、及び／又は設計のタイプ、及び／又は累進の長さ、及び／又は累進多焦点通路のサイズ、及び／又は異なる視力ゾーンの幅の間で光学機能の様々なパラメータを最適化するために、本発明による方法が使用され得る。
【００９１】
本発明の意味では、累進多焦点レンズは、遠方視力ゾーン、近方視力ゾーン及びこれらのゾーン間の累進多焦点通路（又は経路）を有する眼科用レンズである。累進多焦点通路は、境界線又はプリズム飛びなしで、遠方視力ゾーンから近方視力ゾーンへの漸進的屈折力累進を与える。
【００９２】
本発明の意味では、累進多焦点レンズの累進の長さは、適合クロスと、遠方視力点における平均球面に対して８５％の差を平均球面が有する経度線上の点との間のレンズ表面で垂直に（着用状態で）測定された距離に対応する。
【００９３】
文言「光学設計」は、眼科用レンズの屈折機能を定義することができるパラメータのセットを示す、眼科分野における当業者から知られている広く使用されている文言であり、各眼科用レンズ設計者は、特に眼科用累進多焦点レンズのために設計者自身の設計を有する。例に関して、眼科用累進多焦点レンズ「設計」は、全ての距離で明確に見える老眼の能力を元に戻すだけでなく、また全ての生理的視覚機能（例えば、中心視覚、中心窩外視覚、両眼視力）を最適に顧慮し、望ましくない乱視を最小化するように累進多焦点表面を最適化した結果である。例えば、累進多焦点レンズ設計は、
−  日常生活活動中にレンズ着用者によって使用される主注視方向（経度線）に沿った屈折力プロファイル、
−  レンズの側面上の、即ち主注視方向から離れている屈折力（平均屈折力、乱視など）の分布
を含む。
【００９４】
これらの光学特性は、眼科用レンズ設計者によって定義及び計算された「設計」の一部であり、累進多焦点レンズで与えられる。例えば、人が、眼を動かす人のカテゴリ若しくは頭部を動かす人のカテゴリ又は任意の中間カテゴリである場合、眼（水平又は垂直）の注視方向の範囲を測定することによって検出することができる。
【００９５】
人が眼を動かす人のカテゴリである場合、累進多焦点ハード設計が提案され、着用者が頭部を動かす人である場合、ソフト設計が提案される一方、中間カテゴリの場合、ハード及びソフト設計間の妥協が提案されるべきである。
【００９６】
カテゴリは、注視方向の最小／最大又は差異に基づいて判定され得る。
【００９７】
本発明による方法を用いて、人に供給されるべき光学レンズの領域のサイズを最適化し得る。実際に、本発明による方法は、人によって使用される光学レンズの領域のサイズに関する情報を提供することができる。各人は、異なるサイズの領域を使用し得、従って光学レンズのサイズを人のニーズに一致するように調整し得る。
【００９８】
光学レンズの最適化は、眼鏡フレームにおける光学レンズの位置の最適化であり得る。特に、人の眼に対する光学レンズの基準点（例えば、プリズム基準点）の位置は、本発明による方法によって最適化され得る。
【００９９】
例えば、遠方視力に対する注視方向を異なる状況で判定し、平均注視方向をとり、眼鏡フレーム形状でこの平均注視方向の影響を判定し、この位置で累進多焦点レンズの適合クロスを位置決めすることができる。
【０１００】
本発明の実施形態によれば、光学レンズの透過機能を最適化することができる。本発明の意味では、透過機能は、波長の範囲にわたって平均透過を各注視方向に与える機能に対応する。波長の範囲にわたる平均透過は、光学系を通して透過される波長の対応する範囲内で入射光の強度の百分率に対応する。
【０１０１】
例えば、異なる透過機能（例えば、人の環境に適合されている０〜４のカテゴリ（ＩＳＯ８９８０−３））を提案するか、又は特定のＵＶ遮断解決策（例えば、Ｃｒｉｚａｌ  ＵＶ  ＡＲコーティング）又は偏光レンズを提案するために、状況データを使用し得る。
【０１０２】
本発明の実施形態によれば、光学機能判定ステップは、人に対する特定のタイプのレンズの処方箋の形態をとることができる。例えば、解析ステップが、視覚疲労を示す赤色発光に対して頻繁な催涙を示す場合、視覚強度を減少するレンズを人に提案することができる。レンズの例は、Ｅｓｓｉｌｏｒ  ａｎｔｉｆａｔｉｇｕｅ（商標）である。
【０１０３】
本発明の実施形態によれば、眼鏡フレーム（例えば、人が像において着用している眼鏡フレームと同じタイプの眼鏡フレーム）に適合するように製造及び縁取りされた標準的な光学レンズを最適化するために、本発明による方法が使用され得る。
【０１０４】
本発明の実施形態によれば、光学機能は、少なくとも１つの状況で人に適合されている。
【０１０５】
図１に例示のように、本発明の方法は、状況判定ステップ前に、状況データ受信ステップＳ２０を更に含み得る。
【０１０６】
状況データ受信ステップＳ２０中、少なくとも１つの状況を表す、例えば人の選択に対応する状況データが受信される。
【０１０７】
第２の像選択ステップＳ２１中、状況データに対応する像が選択される。解析ステップ中、少なくとも１つの状況における少なくとも１人の人の複数の像が解析される。
【０１０８】
有利には、光学機能は、例えば、特定の活動及び／又は特定の視覚的環境に対する特定の状況に最適化される。
【０１０９】
本発明は、人のための眼科用レンズを製造する方法であって、
−  本発明による方法を用いて、眼科用レンズの光学機能が判定される光学機能判定ステップと、
−  光学レンズが製造される製造ステップＳ１４と
を含む方法にも関する。
【０１１０】
本発明は、本発明の方法によって得られる、人に適合されている光学レンズにも関する。
【０１１１】
代わりに、調整可能レンズ（例えば、プログラマブルレンズ）の光学機能を最適化するために、本発明による最適化方法が使用され得る。
【０１１２】
従って、本発明の方法は、光学機能判定ステップ中に判定される光学機能が、プログラマブルレンズの光学機能を制御するために配置されたプログラマブルレンズデバイス制御器に送信される光学機能送信ステップＳ１２を更に含み得る。
【０１１３】
本発明は、一般的な発明概念の限定なく（特に、装着型検出デバイスは、頭部装着型デバイスに限定されない）、実施形態を用いて上述されている。
【０１１４】
ごく一例として与えられ、添付の特許請求の範囲によってのみ決定される本発明の範囲を限定するように意図されない上述の例示的な実施形態を参照する際、多くの更なる修正形態及び変更形態が当業者に示唆される。
【０１１５】
特許請求の範囲において、用語「含む」は、他の要素又はステップを排除せず、不定冠詞「１つ（ａ）」又は「１つ（ａｎ）」は、複数を排除しない。異なる特徴を互いに異なる従属請求項で述べるという単なる事実は、これらの特徴の組み合わせを有利に使用できないことを意味しない。特許請求の範囲における任意の参照符号は、本発明の範囲を限定すると解釈されるべきではない。
【図１】
2020527079.tif 000003
【国際調査報告】
2020527079.tif 000004
2020527079.tif 000005
2020527079.tif 000006